(57)【要約】【課題】  本発明は簡易に、一時的にも用水路の溢水を防止することのできる側壁補足板材、及びその側壁補足板材を用いた側壁補足装置を提供せんとする。【解決手段】  側壁補足板材５の垂下板部５３をＵ字溝３の側壁外面３３に沿って農道２又は畔４の土中へ埋設する共に、水平板部５２はＵ字溝３の上端面３１に載置し、起立板部５１をＵ字溝３の上端面３１起立させてＵ字溝３の側壁３２の高さを補足する。また、この取付部材６はＵ字溝３の側壁内面３４に当接する押圧部６１及び側壁補足板材５の起立板部５１を貫通して締着する取付部６２から成る鉤形である取付部材６を併用し、側壁補足板材５の垂下板部５３と取付部材６の押圧部６１でＵ字溝３の側壁３２に挟圧し、取付部材６を側壁３２に固定する。さらに、杭７を土中へ埋設した垂下板部５３に当接して打ち込んで、側壁補足板材５を側壁３２に一層強固に固定することができる。【選択図】  図１
2010263795.tif 000002
【特許請求の範囲】
【請求項１】
Ｕ字溝の側壁に継ぎ足して側壁面を高くする側壁補足板材であって、Ｕ字溝の上端面に起立して高さを補足する起立板部、上端面に載置する水平板部、及び側壁外面に沿って土中へ埋設する垂下板部より成ることを特徴とするＵ字溝の側壁補足板材。
【請求項２】
起立板部の先端を、非垂下板部側への折曲部としたことを特徴とする請求項１記載のＵ字溝の側壁補足板材。
【請求項３】
請求項１又は請求項２記載の側壁補足板材と、取付部材とで構成し、この取付部材はＵ字溝の側壁内面に当接する押圧部及び側壁補足板材の起立板部を貫通して締着する取付部から成る鉤形であって、側壁補足板材の垂下板部と取付部材の押圧部でＵ字溝の側壁に挟圧し、側壁補足板材を側壁に固定することを特徴とするＵ字溝の側壁補足装置。
【請求項４】
請求項１又は請求項２記載の側壁補足板材、或いは請求項３記載の側壁補足装置と、杭とで構成し、土中へ埋設した側壁補足板材の垂下板部に当接して当該杭を打ち込んで、垂下板部をＵ字溝の側壁へ押圧することを特徴とするＵ字溝の側壁補足装置。
【請求項５】
側壁補足板材の起立板部の下端と、Ｕ字溝の側壁上端面の溝側部分をコーキング材で被設したことを特徴とする請求項３又は４記載の側壁補足装置。
【請求項６】
Ｕ字溝の上端面と載置する側壁補足板材の水平板部との間に、パッキン材を介在させたことを特徴とする請求項３乃至５記載の側壁補足装置。
【発明の詳細な説明】
【技術分野】
【０００１】
本発明は、水田や畑等に水を供給する用水路であって、Ｕ字溝を利用した用水路に於いて、Ｕ字溝の側壁を高くする側壁補足板材及びその側壁補足板材を用いた側壁補足装置に関するものである。
【背景技術】
【０００２】
河川から水田や畑に水を供給するため用水路が張り巡らされている。
用水路は通常、河川からの取水口や分岐点の要部に水門等で供給水量を調節し、時期に応じて充分に用水路を利用する地域に配水できるようにしている。
そこで、配水流域に応じて幅や深さを計算した用水路を構築しているのであり、近年ではコンクリート成型によるＵ字溝を利用して用水路を簡便に構築することが多く見られるのである。
【０００３】
Ｕ字溝の規格は決められており、その規格に合ったものを選択して構築するのであるが、実際の需要とのズレがあったり、爾後の環境の変化等で当初の設計通りの需要・供給に齟齬が生じる場合がある。
【０００４】
すなわち、水門に近い地域は充分に水が足りているのに、下流地域では不足がちとなり、水門の調節が困難になる一方、下流地域へも充分な配水を確保しようとすると、場所によっては水路から溢水して田畑への過剰水となる等、水門の調節だけでは解決できない問題となるのである。
【０００５】
しかし、根本的な解決策は適正な用水路の幅・深さに改築することであるけれども、諸般の事情で容易に実行できない。
また、従来から用水路から田畑への取水量の調節を為すための装置・器具は工夫されているけれど、係る問題に着目したものは発見できない。
【先行技術文献】
【特許文献】
【０００６】
【特許文献１】特開平０７−２８４３４９号公報
【特許文献２】特開平０９−２９４４８９号公報
【発明の概要】
【発明が解決しようとする課題】
【０００７】
そこで、本発明は簡易に、一時的にも用水路の溢水を防止することのできる側壁補足板材、及びその側壁補足板材を用いた側壁補足装置を提供せんとするものである。
【課題を解決するための手段】
【０００８】
本発明のＵ字溝の側壁補足板材は、Ｕ字溝の側壁に継ぎ足して側壁面を高くする側壁補足板材であって、Ｕ字溝の上端面に起立して高さを補足する起立板部、上端面に載置する水平板部、及び側壁外面に沿って土中へ埋設する垂下板部より成ることを特徴とするものである。
そして、請求項２の発明は、請求項１記載のＵ字溝の側壁補足板材において、起立板部の先端を、非垂下板部側への折曲部としたことを特徴とするものである。
【０００９】
請求項３の発明はＵ字溝の側壁補足装置であって、請求項１又は請求項２記載の側壁補足板材と、取付部材とで構成し、この取付部材はＵ字溝の側壁内面に当接する押圧部及び側壁補足板材の起立板部を貫通して締着する取付部から成る鉤形であって、側壁補足板材の垂下板部と取付部材の押圧部でＵ字溝の側壁に挟圧し、側壁補足板材を側壁に固定することを特徴とするものづある。
【００１０】
また、請求項４のＵ字溝の側壁補足装置の発明は、請求項１又は請求項２記載の側壁補足板材、或いは請求項３記載の側壁補足装置と、杭とで構成し、土中へ埋設した側壁補足板材の垂下板部に当接して当該杭を打ち込んで、垂下板部をＵ字溝の側壁へ押圧することを特徴とするものである。
【００１１】
そして、請求項５の発明は請求項３又は４記載の側壁補足装置において、側壁補足板材の起立板部の下端と、Ｕ字溝の側壁上端面の溝側部分をコーキング材で被設したことを特徴とするものである。
【００１２】
さらに、請求項６の発明は請求項３乃至５記載の側壁補足装置において、Ｕ字溝の上端面と載置する側壁補足板材の水平板部との間に、パッキン材を介在させたことを特徴とするものである。
【発明の効果】
【００１３】
本発明に係る請求項１のＵ字溝の側壁補足板材は、Ｕ字溝の側壁に継ぎ足して側壁面を高くする側壁補足板材であって、Ｕ字溝の上端面に起立して高さを補足する起立板部、上端面に載置する水平板部、及び側壁外面に沿って土中へ埋設する垂下板部より成るものであるから、垂下板部をＵ字溝の側壁外面に沿って土中へ押圧して埋設すると共に、水平板部をＵ字溝の上端面に載置すれば、起立板部がＵ字溝の上端面に起立して高さを補足するものであり、簡単容易にＵ字溝に側壁補足板材を装着でき、Ｕ字溝の側壁の高さを補足できる効果を有するものである。
【００１４】
また、請求項２の発明は、起立板部の先端を、非垂下板部側への折曲部としたため、高さを補足した側壁補足板材の起立板部から溢ようとする波打つ流水を溝内へ誘導する効果を発揮するものである。
【００１５】
次に、本発明に係る請求項３のＵ字溝の側壁補足装置は、前記の側壁補足板材と、取付部材とで構成し、この取付部材はＵ字溝の側壁内面に当接する押圧部及び側壁補足板材の起立板部を貫通して締着する取付部から成る鉤形であるため、側壁補足板材と取付部材とを関連付けてＵ字溝の側壁に装着すれば、側壁補足板材の垂下板部と取付部材の押圧部でＵ字溝の側壁に挟圧し、側壁補足板材を側壁に強固に固定することができ、Ｕ字溝から側壁補足板材が脱落することなく流水の圧力に耐えられる効果を発揮するものである。
【００１６】
請求項４のＵ字溝の側壁補足装置の発明は、請求項３記載の発明の効果に加え、杭を土中へ埋設した側壁補足板材の垂下板部に当接して打ち込んで、垂下板部をＵ字溝の側壁へ押圧するため、側壁補足板材を側壁に一層強固に固定することができ、Ｕ字溝から側壁補足板材が脱落する恐れをなくする効果を発揮するものである。
【００１７】
そして、請求項５の発明は請求項３又は４記載の側壁補足装置に加え、側壁補足板材の起立板部の下端と、Ｕ字溝の側壁上端面の溝側部分をコーキング材で被設したため、該当接部から水漏れを防止する効果、及び側壁補足板材の浮き上がりを防止する効果も発揮する。
【００１８】
さらに、請求項６の発明は請求項３乃至５記載の側壁補足装置に加え、Ｕ字溝の上端面と載置する側壁補足板材の水平板部との間に、パッキン材を介在させて載置面の密着性を良好とする効果を期待できるものである。
【図面の簡単な説明】
【００１９】
【図１】本発明の実施の一形態を示す断面図である。
【図２】図１の土を省略した正面図である。
【発明を実施するための形態】
【００２０】
次に、本発明の実施形態を図面に基づいて説明する。
図１は本発明の一実施の形態を示す断面図であり、図２は同正面図を表す。
用水路１は農道２と水田４１の間に構築され、用水路１はコンクリート成型によるＵ字溝３を連設して形成され、水田４１側には畔４が盛り土されている。
【００２１】
本発明に掛る側壁補足板材５は、縦断面が略クランク状に折曲した形状の横長の板状体であり、上方部からＵ字溝３の上端面３１に起立して高さを補足する起立板部５１、上端面３１に載置する水平板部５２、及び側壁外面３３に沿って畔４の土中へ埋設する垂下板部５３より成り、起立板部５１の先端を、非垂下板部側への折曲部５４を任意に形成してもよい。
【００２２】
側壁補足板材５は、例えば金属板を折曲して形成し、或いは、強度を有するプラスチック成型板により構成してもよい。
起立板部５１はＵ字溝３の側壁３２に起立して高さを補足する部分となるため、必要な高さを形成すべく設計すればよく、折曲部５４は高さを補足した側壁補足板材５の起立板部５１から溢ようとする波打つ流水を溝内へ誘導する作用を促す。
水平板部５２はＵ字溝３の上端面３１に載置すべく、上端面３１の幅より狭く突出しない幅が好ましい。
さらに、畔４の土中へ埋設する垂下板部５３の長さは、長い程安定して起立板部５１を支えられるものとなることは言うまでもない。
【００２３】
そこで、この側壁補足板材５の垂下板部５３をＵ字溝３の側壁外面３３に沿って農道２又は畔４の土中へ埋設する共に、水平板部５２はＵ字溝３の上端面３１に載置し、起立板部５１をＵ字溝３の上端面３１起立させてＵ字溝３の側壁３２の高さを補足するものである。
垂下板部５３が農道２又は畔４の土中圧によってＵ字溝３の側壁外面３３に押圧されて側壁補足板材５とＵ字溝３の一体化を維持するものとなる。
設置する各側壁補足板材５は、端部同士を重合して連設すればよい。
【００２４】
また、側壁補足板材５とＵ字溝３の一体化を更に強固とするため、取付部材６を用いることもできる。
この取付部材６はＵ字溝３の側壁内面３４に当接する押圧部６１及び側壁補足板材５の起立板部５１を貫通して締着する取付部６２から成る鉤形であって、側壁補足板材５の垂下板部５３と取付部材６の押圧部６１でＵ字溝３の側壁３２に挟圧し、取付部材６を側壁３２に固定する。
【００２５】
この取付部材６は側壁補足板材５に対して適宜間隔で設置していけば良い。
図面に於いて、取付部材６は金属製又は硬質プラスチック製の棒体であり、起立板部５１と取付部６２との締着は、取付部６２に形成した螺子部６３にナット６４を螺入することで行っている。
【００２６】
また、図中７は杭であり、側壁補足板材５に対して適宜間隔で設置され、土中へ埋設した側壁補足板材５の垂下板部５３に当接して当該杭７を打ち込んで、垂下板部５３をＵ字溝３の側壁３２へ押圧することで、土圧が充分でない場所では側壁補足板材５とＵ字溝３の一体化をより確実に維持するものとなる。
【００２７】
そして、側壁補足板材５の起立板部５１の下端と、Ｕ字溝３の側壁上端面３１の溝側部分をモルタル等のコーキング材８で被設し、該当接部から水漏れ防止と側壁補足板材５の浮き上がりを防止している。
【００２８】
さらに、Ｕ字溝３の上端面３１と載置する側壁補足板材５の水平板部５２との間に、パッキン材９を介在させて載置面の密着性を良好とすることもできる。
パッキン材９はゴムやスポンジ等の公知のものを選択すればよい。
【符号の説明】
【００２９】
１    用水路  
２    農道
３    Ｕ字溝
３１  上端面
３２  側壁
３３  側壁外面
３４  側壁内面
４    畔
４１  水田
５    側壁補足板材
５１  起立板部
５２  水平板部
５３  垂下板部
５４  折曲部
６    取付部材
６１  押圧部
６２  取付部
６３  螺子部
６４  ナット
７    杭
８    コーキング材
９    パッキン材
【図１】
2010263795.tif 000003
【図２】
2010263795.tif 000004